(57)【要約】【課題】作業者が手で押さえておくことなく、ベルトを簡単に張る。【解決手段】鋼材の縁に引っ掛け可能な湾曲した形状を有するフック部４と、ベルト材３を取り付ける取付孔５と、フック部４を鋼材に引っ掛けた状態で鋼材に対向する面に配置され鋼材に磁力により吸着する磁着部６とを備えるフック部材１を提供する。【選択図】図１
2014077515.tif 000002
【特許請求の範囲】
【請求項１】
鋼材の縁に引っ掛け可能な湾曲した形状を有するフック部と、
ベルト材を取り付ける取付孔と、
前記フック部を鋼材に引っ掛けた状態で鋼材に対向する面に配置され鋼材に磁力により吸着する磁着部とを備えるフック部材。
【請求項２】
前記フック部が、平板状の金属部材の一端を湾曲させて形成され、
前記取付孔が、前記金属部材の他端近傍を板厚方向に打ち抜いて形成され、
前記磁着部が、前記フック部と前記取付孔との間の金属部材に固定された磁石である請求項１に記載のフック部材。
【請求項３】
前記フック部が、平板状の金属部材の一端を湾曲させて形成され、
前記取付孔が、前記金属部材の他端近傍を板厚方向に打ち抜いて形成され、
前記磁着部が、前記金属部材を磁化させて構成されている請求項１に記載のフック部材。
【請求項４】
請求項１から請求項３のいずれかに記載のフック部材と、
該フック部材に設けられた取付孔に取り付けられたベルト材とを備えるベルト。
【発明の詳細な説明】
【技術分野】
【０００１】
本発明は、フック部材およびベルトに関するものである。
【背景技術】
【０００２】
従来、金属製平板を湾曲させただけのシンプルな形態を有するフック部材（フラットフック）が知られている（例えば、非特許文献１参照。）。このフック部材は、一端に湾曲したフック部を備え、他端近傍に貫通孔を有していて、該貫通孔にベルト材が取り付けられたベルトとして使用される。
【０００３】
このベルトは、例えば、アングル材のような鋼材からなる貨物棚の前面の柱等の縁にフック部を引っ掛けて、柱間にベルト材を張ることにより貨物棚に収容された貨物の落下を防止する等の用途で使用される。
【先行技術文献】
【非特許文献】
【０００４】
【非特許文献１】アンクラジャパン総合カタログＶｏｌ．９、「フラットフック」、ｐ２２、アンクラジャパン株式会社、２００８．０８発行
【発明の概要】
【発明が解決しようとする課題】
【０００５】
しかしながら、従来のフック部材は、金属製平板を湾曲させただけのシンプルな形態であり、引っ掛ける相手の種々の大きさに対応できるように、広く開口したフック部を有している。このため、フック部は、通常、アングル材の縁に緩く引っ掛かり、ベルトに張力をかけていない状態では、アングル材の縁から脱落してしまうという不都合がある。
【０００６】
すなわち、フック部材を鋼材の縁に引っ掛けてベルトを張る場合には、フック部材を片手で押さえながら、他方の手でベルトに張力をかけ続ける必要がある。また、両手で届かない間隔位置にベルトを張る場合には、２人以上の作業者が必要となるという不都合がある。
【０００７】
本発明は上述した事情に鑑みてなされたものであって、作業者が手で押さえておくことなく、ベルトを簡単に張ることができるフック部材およびベルトを提供することを目的としている。
【課題を解決するための手段】
【０００８】
上記目的を達成するために、本発明は以下の手段を提供する。
本発明の一態様は、鋼材の縁に引っ掛け可能な湾曲した形状を有するフック部と、ベルト材を取り付ける取付孔と、前記フック部を鋼材に引っ掛けた状態で鋼材に対向する面に配置され鋼材に磁力により吸着する磁着部とを備えるフック部材を提供する。
【０００９】
本態様によれば、フック部を鋼材の縁に近づけると、鋼材に対向する面に配置された磁着部が鋼材に磁力により吸着し、フック部材から手を離しても、フック部材をその場に取り付けた状態に維持することができる。したがって、取付孔に取り付けたベルト材に張力をかけ続けずに済む。また、両手の届かない部材間に、作業者が１人で容易にベルト材を張ることができる。
【００１０】
上記態様においては、前記フック部が、平板状の金属部材の一端を湾曲させて形成され、前記取付孔が、前記金属部材の他端近傍を板厚方向に打ち抜いて形成され、前記磁着部が、前記フック部と前記取付孔との間の金属部材に固定された磁石であってもよい。
このようにすることで、平板状の金属部材にプレス加工等により簡易にフック部と取付孔を簡易に形成することができる。そして、このように構成されたフック部材のフック部と取付孔との間の金属部材に固定した磁石によって、フック部材を鋼材に吸着させて端に引っ掛けた状態に維持することができる。
【００１１】
また、上記態様においては、前記フック部が、平板状の金属部材の一端を湾曲させて形成され、前記取付孔が、前記金属部材の他端近傍を板厚方向に打ち抜いて形成され、前記磁着部が、前記金属部材を磁化させて構成されていてもよい。
このようにすることで、平板状の金属部材にプレス加工等により簡易にフック部と取付孔を簡易に形成したフック部材の形態のままで、鋼材に吸着させて端に引っ掛けた状態に維持することができる。
【００１２】
また、本発明の他の態様は、上記いずれかのフック部材と、該フック部材に設けられた取付孔に取り付けられたベルト材とを備えるベルトを提供する。
本態様によれば、フック部材が鋼材に磁力によって吸着するので、取付孔に取り付けたベルト材に張力をかけ続けずに済む。また、両手の届かない部材間に、作業者が１人で容易にベルト材を張ることができる。
【発明の効果】
【００１３】
本発明によれば、作業者が手で押さえておくことなく、ベルトを簡単に張ることができるという効果を奏する。
【図面の簡単な説明】
【００１４】
【図１】本発明の一実施形態に係るフック部材を備える本実施形態に係るベルトを示す斜視図である。
【図２】図１のベルトのフック部材を鋼材からなる柱に引っ掛けた状態を示す斜視図である。
【図３】図１のフック部材の側面図である。
【図４】図１のフック部材の変形例を示す側面図である。
【図５】図１のフック部材の他の変形例を示す斜視図である。
【発明を実施するための形態】
【００１５】
本発明の一実施形態に係るフック部材１およびベルト２について図面を参照して以下に説明する。
本実施形態に係るフック部材１は、図１に示されるように、本実施形態に係るベルト２に備えられている。
【００１６】
本実施形態に係るベルト２は、ベルト材３と、該ベルト材３の一端に取り付けられるフック部材１とを備えている。
フック部材１は、ベルト材３の一端に取り付けられる金具であって、平板状の金属部材をプレス加工により打ち抜いて成形するとともに、幅狭に形成された一端を湾曲させて形成したフック部４と、該フック部４とは反対側の端部近傍に板厚方向に貫通して形成された取付孔５と、フック部４と取付孔５との間の平坦部に固定された永久磁石（磁着部）６とを備えている。
【００１７】
フック部４は、図２に示されるように、２０°〜４０°、好ましくは略３０°の角度をなして開いており、種々の大きさの部材に引っ掛けることができるようになっている。
ベルト材３は、取付孔５を貫通した端部を、該ベルト材３自体の長さ方向の途中位置に縫い付けることによりフック部材１を取り付けている。
【００１８】
永久磁石６は、図に示す例では、四角い平板状であり、例えば、接着剤によりフック部材１を構成する金属部材に接着固定されている。永久磁石６は、図２に示されるように、アングル材のような鋼材Ａからなる貨物棚の柱の端縁にフック部４を引っ掛けたときに鋼材Ａに対向することとなる位置に配置されている。また、永久磁石６の厚さ寸法は、ベルト材３の厚さ寸法と略同等かそれよりも厚く構成されている。
【００１９】
このように構成された本実施形態に係るフック部材１およびベルト２の作用について、以下に説明する。
本実施形態に係るフック部材１を備えるベルト２を、例えば、図２に示されるように、鋼材Ａからなる貨物棚の柱Ｂ間に掛け渡すように張るには、フック部材１のフック部４を柱Ｂの左右のいずれかの鉛直方向に沿う端縁に引っ掛ける。これにより、図３に示されるように、柱Ｂを構成する鋼材Ａの前面に対向する位置にフック部材１に備えられた永久磁石６が配置されるので、その磁力によって永久磁石６が鋼材Ａに吸着し、フック部４が、図２に示されるように、柱Ｂの端に引っ掛かった状態に維持される。
【００２０】
したがって、作業者は、ベルト材３に張力をかけずにフック部材１から手を離しても、フック部材１が鋼材Ａから脱落することがなく、ベルト材３を柱Ｂ間に掛け渡す作業を容易に行うことができるという利点がある。また、柱Ｂ間の間隔寸法が両手では届かないほど大きい場合でも、一方の柱Ｂの端に引っ掛けたフック部材１の脱落を気にすることなく作業を行うことができ、２人がかりで行う必要もない。
【００２１】
なお、本実施形態に係るフック部材１においては、永久磁石６を接着剤によってフック部材１を構成している金属部材に接着することとしたが、これに代えて、図４に示されるように、永久磁石６を固定した金属板７を溶接、あるいは、ネジ止め等によってフック部材１を構成する金属部材に固定してもよい。また、この場合、金属板７と金属部材とによって永久磁石６を挟んだ状態で溶接またはネジ止め等することが、永久磁石６の脱落を防止できるので好ましい。図中、符号Ｃは溶接部を示している。
【００２２】
また、永久磁石６の位置は、フック部４と取付孔５との間としたが、これに限定されるものではなく、鋼材Ａにフック部４を引っ掛けたときに鋼材Ａに対向することとなる任意の位置に固定しておけばよい。
また、磁着部として永久磁石６を例示したが、これに限定されるものではなく、フック部材１を構成する金属部材自体を磁化させて、フック部材１が鋼材Ａから脱落しないように維持し得る程度の磁力を発生させることとしてもよい。
【００２３】
また、上記実施形態においては、フック部４を貨物棚の柱Ｂの鉛直方向の端縁に引っ掛ける場合について説明したが、これに限定されるものではなく、任意の端縁に引っ掛けることができる。またスリットが形成された鋼材Ａの場合には、スリットにフック部４を引っ掛けても、上記と同様の利点がある。
【００２４】
また、本実施形態においては、フック部材１を平板状の金属部材をプレス加工することによって構成することとしたが、これに代えて、他の任意の方法により構成してもよい。また、フック部材１の材質は金属に限定されるものではなく、強度さえ満たせば他の任意の材質のものを採用してもよい。
【００２５】
また、フック部材１としては、平板状の金属部材を例示したが、これに代えて、図５に示されるように、金属製の丸棒材を湾曲させてフック部４，取付孔５を形成したものに永久磁石６を固定したものを採用してもよい。また、永久磁石６に代えて、丸棒材自体を磁化させることにしてもよい。
【符号の説明】
【００２６】
Ａ  鋼材
１  フック部材
２  ベルト
３  ベルト材
４  フック部
５  取付孔
６  永久磁石（磁着部）
【図１】
2014077515.tif 000003
【図２】
2014077515.tif 000004
【図３】
2014077515.tif 000005
【図４】
2014077515.tif 000006
【図５】
2014077515.tif 000007